(57)【特許請求の範囲】
【請求項１】
開口部を開閉するシャッターカーテンを複数のスラットで構成し、該各スラットの両側部を、開閉方向に隣接する各スラットとの連結位置が互いに位置ずれするようリンクを介して揺動自在に連結して、前記各スラットを、シャッターカーテンの開閉作動の過程では、隣接スラットとのあいだに隙間が形成される採光姿勢とし、全閉したことに伴い、最先端側のスラットから順次揺動して隙間を閉塞する閉塞姿勢に変姿するように構成したブラインド式シャッター装置。
【請求項２】
請求項１において、スラット同志を連結するリンクは、各スラットの上端側部位において連結されているブラインド式シャッター装置。
【請求項３】
請求項１または2において、スラットと、該スラットを隣接スラットに連結するリンクとのあいだには、閉塞姿勢に変姿したスラットを該閉塞姿勢にロックするためのロック手段が設けられているブラインド式シャッター装置。
【請求項４】
請求項３において、ロック手段は、スラットの上端側部位と、該スラットを上側のスラットと連結するためのリンクの下端側部位との係合とし、該係合は、下側スラットが閉塞姿勢になることで揺動する前記リンクのさらなる揺動を伴う変位でなされているブラインド式シャッター装置。
【発明の詳細な説明】
【０００１】
【発明の属する技術分野】
本発明は、住宅やビルに形成される開口部に建付けられるブラインド式シャッター装置の技術分野に属するものである。
【０００２】
【従来の技術】
一般に、この種ブラインド式シャッター装置においては、開口部を開閉するシャッターカーテンを複数のスラットで構成し、これら各スラットをリンクを用いて揺動自在に連結することで、各スラットが、隣接するスラット同志のあいだに光を通す隙間が形成される採光（通風）姿勢と、該隙間がない状態である閉塞姿勢とに変姿するようにしている。ところで、このようなものにおいて、太陽光線を遮りつつ室内の明るさを確保したいような場合では、シャッターカーテンを所望の閉鎖状態、つまり半開状態とし、この状態でスラットを採光姿勢に揺動させる構成が要求される。
そこで、従来、各スラットの両側部に作動片を回動自在に連結し、該作動片をパンタグラフ状に連結したリンクの交差部に取付けて、パンタグラフの伸縮に伴い各スラットが間隙を存した採光姿勢を維持する状態で上下動するように構成すると共に、最下端スラットの接地に伴い各スラットの隙間を閉塞する閉塞姿勢となるように構成し、半開状態でもスラットを採光姿勢にできるようにしたものが提唱されている。
【０００３】
【発明が解決しようとする課題】
しかるに、前記従来の構成のものでは、スラット同志を連結し、かつスラットを上下動させるためのリンクと、スラットを採光姿勢から閉塞姿勢に変姿させるための作動体とが必要なうえ、前記リンクをパンタグラフ状に組込むことが必要となり部品点数が多くなって構造が複雑になるという問題がある。しかもこのものでは、パンタグラフ状のリンクの伸縮に基づく開閉であるため、シャッターカーテンの開放時に、シャッターカーテンを巻取り式に収納することができず、開口部上方にスラットを上下方向に重ねた状態で収納しなければならず、建付ける場所に上下方向のスペースを充分に確保する必要があり、建付けスペースによっては開口部が狭くなってしまったり、建付けられないこともあって問題があり、ここにも本発明が解決しようとする課題があった。
【０００４】
【課題を解決するための手段】
本発明は、上記の如き実情に鑑み、これらの課題を解決することを目的として創作されたものであって、開口部を開閉するシャッターカーテンを複数のスラットで構成し、該各スラットの両側部を、開閉方向に隣接する各スラットとの連結位置が互いに位置ずれするようリンクを介して揺動自在に連結して、前記各スラットを、シャッターカーテンの開閉作動の過程では、隣接スラットとのあいだに隙間が形成される採光姿勢とし、全閉したことに伴い、最先端側のスラットから順次揺動して隙間を閉塞する閉塞姿勢に変姿するように構成したものである。
そして、このようにすることによって、開口部を中途まで開放した状態でスラットを採光姿勢にすることができる等、スラットの多様な日除状態にすることができる。
このものにおいて、本発明のスラット同志を連結するリンクは、各スラットの上端側部位において連結されているものとすることができ、このようにすることによって、スラットの採光姿勢から閉塞姿勢への揺動変姿を円滑に行うことができる。
さらにこのものにおいて、本発明のスラットと、該スラットを隣接スラットに連結するリンクとのあいだには、閉塞姿勢に変姿したスラットを該閉塞姿勢にロックするためのロック手段が設けられているものとすることができ、このようにすることによって、防犯性を向上させることができるうえ、全閉状態のスラットのばたつきを防止できる。
またこのものにおいて、本発明のロック手段は、スラットの上端側部位と、該スラットを上側のスラットと連結するためのリンクの下端側部位との係合とし、該係合は、下側スラットが閉塞姿勢になることで揺動する前記リンクのさらなる揺動を伴う変位でなされているものとすることができ、このようにすることによって、開閉作動を円滑に行いながらロック作動を行える。
【０００５】
【発明の実施の形態】
次に、本発明の第一の実施の形態について図１〜図１２に示す図面に基づいて説明する。
図面において、１はブラインド式シャッター装置であって、該ブラインド式シャッター装置１を構成するシャッターカーテン２は、後述するように複数のスラット３の両側部を、第一リンク４を介して連結することで構成されている。前記シャッターカーテン２の上端部は、躯体開口部上方に配されたシャッターケース５内に回動自在に軸承された巻取り軸６に巻装される所謂巻取り式のものに構成され、該巻取り軸６に電動式の開閉機７が連動連結されている。一方、躯体開口部の両側にはガイドレール８が立設されており、該ガイドレール８にシャッターカーテン２の左右両側部が移動自在に嵌合するように構成されている。そして、シャッターカーテン２は、開閉機７の正逆駆動に伴い巻取り軸６が正逆何れかに回動することに基づいて巻取り軸６から巻出され、または巻取り軸６に巻取られることで、両側部がガイドレール８に移動案内される状態で開口部の開閉を行うように設定されている。
【０００６】
さて、前記スラット３は、左右方向に長尺板状のスラット本体９と、該スラット本体９の左右両側部に組込まれる左右一対の連結部材１０とを備えて構成されている。
前記スラット本体９は樹脂材を一体型成形することで形成されており、上半部の裏面（後側面であって屋内側面）に断面冂字状の係合片部９ａが形成され、下半部の裏面下端部には外方（屋内側）に向けて突出する上下のリブ片９ｂ、９ｃがそれぞれ形成されている。因みに、上下のリブ片９ｂ、９ｃのあいだには必要においてモヘア等の封止部材を組込むこともできる。また、下半部は上半部に対し僅かに前方に位置ずれするよう傾斜面部９ｄが形成され、これによって、スラット３が後述する閉塞姿勢となったときに、上側スラット３のスラット本体９下端部が下側スラット３のスラット本体９上端部の前方に位置した状態でオーバーラップするように設定されている。
【０００７】
一方、前記連結部材１０は樹脂材で一体型成形されており、スラット３の側端面に沿う端片部１０ａと、該端片部１０ａの上端部から開口部間口方向（左右方向）外方に突出形成される支持片部１０ｂとを備えている。さらに、支持片部１０ｂの外端部にはスラット３の板面よりも前方に突出する突片部１０ｃを備え、これによって、連結部材１０の外端部には、前記第一リンク４と共にリンク作動する機能を備えた第二リンク片部１０ｄが一体形成されている。そして、この第二リンク片部１０ｄの外端面には、上下に隣接するスラット３に連結するための第一リンク４が枢結されるための上側用、下側用枢結部１０ｅ、１０ｆがそれぞれ位置ずれする状態で形成されている。これら上側用、下側用枢結部１０ｅ、１０ｆは、前記スラット３の閉塞姿勢において、第二リンク片部１０ｄ外端面の前部と後部とを切欠くことで凹穴状に形成されており、これら上下側用の枢結部１０ｅ、１０ｆとのあいだに外方に突出する突出部１０ｇが形成され、該突出部１０ｇの突出量が、前記第一リンク４の板厚よりも僅かに大きくなるように設定されている。さらに、これら上下側用枢結部１０ｅ、１０ｆには内方を向く螺合用の穴１０ｈ、１０ｉがそれぞれ形成されている。ここで、前記枢結部１０ｅ、１０ｆを構成する凹穴の穴形状（切欠き形状であって、突出部１０ｇにより形成される穴縁形状）については、第二リンク片部１０ｄと第一リンク４とのリンク作動における揺動規制部材を兼用しており、詳しい説明については後述する。
【０００８】
さらに、連結部材１０の端片部１０ａには、スラット本体９の上半部に形成の係合片部９ａに嵌合する第一ジョイント部１１と、スラット本体９の下半部に形成の上側支持片９ｂに支持され下半部のスラット面部に沿うように配されることでスラット面部の補強をする第二ジョイント部１２とがそれぞれ内方に向けて一体に突出形成されている。そして、スラット本体９と左右一対の連結部材１０との組込みは、スラット本体９の左右の係合片部９ａと上側支持片９ｂに対し、第一、第二ジョイント部１１、１２をそれぞれ嵌合させることで組込まれるが、このとき、特に第一ジョイント部１１はスラット面に対向する面部に鋸歯状となった複数の突条リブ１１ａが形成されていて、第一ジョイント部１１をスラット本体係合片部９ａに強制嵌合させることによって、スラット本体９と連結部材１０との堅固な組込みができるように設定されている。因みに、第一、第二ジョイント部材１１、１２の先端（内端）にはテーパ部１１ｂ、１２ａが形成され、スラット本体９の連結部材１０への組込みが容易にできるように配慮されている。また、１３はスラット本体９の左右両端縁部と、連結部材端片部１０ａとのあいだの隙間を裏面側から塞ぐための塞ぎ体であり、該塞ぎ体１３も前記第一、第二ジョイント部１１、１２と同様に連結部材１０に一体に突出形成されている。
【０００９】
このようにして構成されたスラット３同志は長板状の第一リンク４により連結されるが、第一リンク４の長手方向両端部には上下の連結孔４ａ、４ｂが開設されている。そして、基準となるスラット３において、連結部材１０の第二リンク片部１０ｄの上側用枢結部１０ｅに、前記基準となるスラット３の上側に隣接するスラット３を連結するための第一リンク４の下側連結孔４ｂ形成部位をあてがい、また第二リンク片部１０ｄの下側用枢結部１０ｆに、前記基準となるスラット３の下側に隣接するスラット３を連結するための第一リンク４の上側連結孔４ａ形成部位をあてがう。そして、これらあてがわれた第一リンク４の外方から第二リンク片部１０ｄと同形状に形成された支持プレート１４をあてがい、該支持プレート１４の外方から挿通される螺子１５、１６の先端部を、第一リンク連結孔４ａ、４ｂを貫通させて螺合用の孔１０ｈ、１０ｉに螺合することで、第一リンク４と第二リンク片部１０ｄとが揺動自在に連結される設定となっており、而して第一リンク４と第二リンク片部１０ｄとの揺動自在な連結がなされるように設定されている。
尚、１７はシャッターカーテン２の最下端に位置して連結される座板であって、該座板１７には、下端部に障害物検知機構を構成する障害物検知片１７ａが上下方向移動自在に設けられており、シャッターカーテン２の開閉作動に伴う障害物検知がなされるように設定されている。そして、座板１７と該座板１７の上側に位置するスラット３との連結は、該スラット３の連結部材第二リンク片部１０ｄの下側枢結部１０ｆに枢結された第一リンク４の下端部を、座板１７の上端部に枢結することでなされている。
【００１０】
また、前記ガイドレール８は、躯体に固定される下地枠８ａと、該下地枠８ａに固定されるようにして配される屋内外（前後）のガイド片８ｂ、８ｃとを備えて構成されるが、前後のガイド片８ｂ、８ｃの対向間に形成されるガイド溝８ｄは、スラット３を構成する連結部材１０部位を嵌合案内する設定となっている。前記前後のガイド片８ｂ、８ｃは左右方向長さが異なって構成され、かつ、その先端部に封止部材８ｅの基端部を嵌合するための封止部８ｆが一体形成されている。これによって、ガイド溝８ｄの溝幅は、ガイド片８ｂ、８ｃとこれらの先端部に形成される封止部８ｆとの対向幅により設定され、第二連結片部１０ｄが嵌合する溝奥側の溝幅は、後述するようにスラット３を閉塞姿勢に変姿させるべく向き（姿勢）を変える第二連結片部１０ｄが収納可能になるように寸法設定されている。
さらに、前側ガイド片８ｂの封止部８ｆは、前記閉塞姿勢のスラット３の第二リンク片部１０ｄに当接することで、開口部を閉鎖したシャッターカーテン２が風圧等によりガイド溝８ｄから抜出ないための抜止機能を兼用するように設定されている。一方、シャッターカーテン２の開閉作動時において、連結部材１０の端片部１０ａの外端面は前側ガイド片８ｂの封止部８ｆに近接対向しており、これらのあいだの対向間は、スラット３外端面部（第二リンク片部１０ｄの外端面部とガイドレール８の溝底片８ｇとの対向間より小さく設定されており、開閉作動中にシャッターカーテン２が左右方向に位置ずれしたとしても、端片部１０ａが封止部８ｆに当接することでスラット３外端面部がガイドレール溝底片８ｇに当接することがないように設定されている。
【００１１】
そして、シャッターカーテン２は、ガイドレール８に移動案内される自然垂下（自重垂下）状態では、第一リンク４と第二スラット片部１０ｄとが互いに伸長したリンク関係となるため、各連結部材１０の第二リンク片部１０ｄは、上下側用枢結部１０ｅ、１０ｆが上下に隣接する上下方向を強制的に向くようになっており、これによって、上下の隣接スラット３同志を連結する各第一リンク４との連結中心は一直線上に位置するように設定されている。この自然垂下状態において、スラット３は、第二リンク片部１０ｄが上下方向を向くことに追随してスラット本体９の下端部が前方に突出し、隣接スラット本体９とのあいだに隙間ができる採光姿勢となるように設定されている。
前記スラット３の採光姿勢において、第二リンク片部１０ｄに形成される下側用枢結部１０ｆ穴縁の後方縁部１０ｊは、図８に示すように、第一リンク４の上側端縁部４ｃの後側縁部に近接対向するように形成されており、これによって、前記後方縁部１０ｊが、第二リンク片部１０ｄの上部がこれ以上後方に揺動するのを規制するストッパ部材として機能する設定となっている。因みに、第一リンク４はリンク長が長く、ガイドレール８の前後のガイド片８ｂ、８ｃに揺動規制されている。
【００１２】
一方、第一リンク４と第二リンク片部１０ｄとの前記自然垂下状態が解除され下方からの押し上げられるような支持を受けると、これらリンク４、１０ｄ同志は縮小する、つまり連結部において折曲するようなリンク作動を行うが、このとき、前述したように第一リンク４の揺動規制がなされていると共に、第二リンク片部１０ｄの上部が後方に揺動することが規制されているため、第二リンク片部１０ｄの上部が下側用枢結部１０ｆを基準として前方に揺動する。これによって、各スラット３は、各第二リンク片部１０ｄとスラット本体９とが一体揺動し、スラット本体９の下端部が強制的に下方揺動して前記スラット本体９同志間の隙間が閉塞された閉塞姿勢に変姿するように設定されている。ここで、第二リンク片部１０ｄの前方揺動において、該前方揺動に伴い、連結部材１０と一体に連結されたスラット本体９の下端部が下方揺動するが、該スラット本体９の下方揺動はスラット本体９の自重が作用している結果、該スラット本体９の自重が第二リンク片部１０ｄの前方方向への揺動モーメントとして作用し、第二リンク片部１０ｄ上部の前方への揺動作動を円滑にしている。
このスラット３の閉塞姿勢において、第二リンク片部１０ｄの下側用枢結部１０ｆ穴縁の前方縁部１０ｋは、図９に示すように、第一リンク４の上側端縁部４ｃの前側縁部に近接対向するように形成されており、これによって、前方縁部１０ｋが、第二リンク片部１０ｄのこれ以上の前方揺動を規制するストッパとして機能する設定となっている。さらに、第二リンク片部１０ｄに形成される上側用枢結部１０ｅの穴縁である後方縁部１０ｍは、第一リンク４の下側端縁部４ｄの後側縁部に近接対向状となるように形成されており、これによって、該部位においても第二リンク片部１０ｄのこれ以上の後方揺動が規制されるように設定されている。
【００１３】
次に、シャッターカーテン２の開閉作動について説明する。
シャッターカーテン２は、自重垂下する状態で巻取り軸６に巻取られており、このため、各スラット３は、スラット本体９の下端部が前方に突出する採光姿勢となった状態で巻取り軸６に巻取られている。この状態からシャッターカーテン２を閉鎖作動させた場合に、シャッターカーテン２は、前述したようにスラット３が採光姿勢を維持した状態で下動する。そして、シャッターカーテン２の最下端に位置する座板１７の障害物検知片１７ａが接地（図３に示すように下枠１８に当接する状態であって、この場合、障害物検知をすることはない）すると、続いて、障害物検知片１７ａが相対上動するようにして座板１７が障害物検知片１７ａを介して接地する。この状態で、さらにシャッターカーテン２の巻出し作動がなされると、座板１７の荷重が床面側により受け止められて自重垂下状態が解除され、座板１７に連結された第一リンク４の上端部と、座板１７の上側のスラット３の第二リンク片部１０ｄとが縮小するようにリンク作動する。このとき、前述したように、第一リンク４の揺動規制と第二リンク片部１０ｄの後方揺動規制とがなされ、さらにはスラット本体９の下端縁部が下方揺動する揺動モーメントが作用して第二リンク片部１０ｄが前方に揺動することになり、これによって、該座板１７の上側のスラット３が閉塞姿勢となるように設定されている。
【００１４】
前記状態からさらに、シャッターカーテン２の巻出し作動がなされると、下側のスラット３から順次第一リンク４と第二リンク片部１０ｄとがリンク作動して、図４に示すように、スラット本体９の下端部が下側のものから順次下方揺動してスラット３が閉塞姿勢に変姿をし、このようにして、シャッターカーテン２の最上端のスラット３が閉塞姿勢になることに基づいて開口部がシャッターカーテン２により閉鎖され、これをもってシャッターカーテン２の全閉状態となるように設定されている。ここで、シャッターカーテン２が開口部を閉鎖し、各スラット３が採光姿勢から閉塞姿勢に変姿して全閉するまでの過程において、巻取り軸６の回転を適当なところで停止させることにより、シャッターカーテン２の下側部位のスラット３が閉塞姿勢で上側部位のスラット３が開放姿勢の状態を構成することもできる。
【００１５】
一方、シャッターカーテン２の開放作動では、シャッターカーテン２の巻取りに伴い、最上端のスラット３から順次自然垂下状態となり、これによって、第一リンク４と第二リンク片部１０ｄとが直線上に位置するようにリンク作動をし、これに伴い上側スラット３のスラット本体９の下端部が上動して採光姿勢となり、このようにして下側のスラット本体９から順次下端部が上動して採光姿勢となるように設定されている。そして、最下端のスラット３が採光姿勢に変姿して、続いて座板１７が上動し、障害物検知片１７ａが接地状態から上動すると、その後は、スラット３が採光姿勢を維持した状態で上動し、開口部の開放がなされるように設定されている。
【００１６】
叙述の如く構成された本発明の実施の形態において、開閉機７の駆動に基づく巻取り軸６の回動で、シャッターカーテン２の開閉作動がなされるが、シャッターカーテン２を構成する複数のスラット３は、スラット３自体を構成する連結部材１０に形成された第二リンク片部１０ｄに、上下に隣接するスラット３と連結するための第一リンク４を前後に位置ずれする状態で枢結されている。このため、シャッターカーテン２が自然垂下状態となると、第一リンク４と第二リンク片部２ｄとが一直線状となるように伸長し、各スラット本体９の下端部が上方揺動して前方に突出して上下に隣接するスラット本体９とのあいだに隙間が形成される採光姿勢となり、自然垂下状態が解除されると、第一リンク４と第二リンク片部２ｄとが縮小するようにリンク作動してスラット本体９の下端部が下動して閉塞姿勢となる。従って、シャッターカーテン２の閉鎖作動時では前記採光姿勢を維持しながら閉鎖作動をし、最下端部の座板１７の接地に伴い、更なる巻取り軸６の巻出し作動により、下側のスラット３から順次閉塞姿勢に変姿して全閉状態となる。一方、シャッターカーテン２の開放作動時では、シャッターカーテン２の巻取りに伴い全閉状態のシャッターカーテン２の最上端に位置するスラット３から下方のものが順次採光姿勢となってからシャッターカーテン２の上動がなされ、全開状態となる。この結果、シャッターカーテン２を、中途まで下ろしてこの部分についてのみ日除とする姿勢、最下端まで下ろしてすべてを日除とする姿勢、そしてこの全日除とする姿勢から順次下側より閉塞して、下側閉塞−上側日除の姿勢を経て全閉姿勢に至るまでの所望の姿勢にすることができ、これによって、多様なシャッターカーテン２による室内の明るさ、通風状態を調整でき、居住性の向上が計れる。
【００１７】
このように、本発明が実施された形態のものでは、巻取り軸６の回動に伴いシャッターカーテン２を巻出し、巻取りという一連の作動を行うことにより、採光姿勢のスラット３で開口部を閉鎖させてから閉塞姿勢に変姿させて全閉とする一方、閉塞姿勢のスラット３を採光姿勢に変姿させてから開口部を開放することができる構成であるので、従来のようにシャッターカーテンの開閉作動のためのパンタグラフ状のリンクと、スラットの採光姿勢と閉塞姿勢とのあいだの姿勢変姿機構をするための作動片との両者を用いる必要がなく、部品点数を少なくできるうえ、構造の簡略化を果すことができる。
しかもこのものでは、シャッターカーテン２を巻取り軸６に巻装する構成になっているので、間口高さをコンパクト化できるという利点もある。
【００１８】
ところで、前記第一の実施の形態のシャッターカーテン２において、シャッターカーテン２が全閉状態となっているときに、シャッターカーテン２の外部から開口部中間位置の任意のスラット３の下端部を把持して上方に無理矢理持ち上げた場合、該スラット３は、そのものより上側に位置するスラット３との連結を巻取り軸６側（上側）に押し上げる状態で第一リンク４と第二リンク片部１０ｄとがリンク作動（揺動）して閉塞姿勢から採光姿勢に強制的に変姿してしまうことがある。
そこで、このような外部からの強制的なスラットの変姿を防犯性等の見地から嫌う場合があり、このため該強制的なスラットの変姿を回避できる構成について、図１３〜図２０の図面に示す第二の実施の形態に基づいて説明する。
【００１９】
尚、第二の実施の形態のシャッターカーテン２０は、複数のスラット２１の両側部を、第一リンク２２を介して連結することで構成され、前記シャッターカーテン２０の上端部が躯体開口部上方に配されたシャッターケース内の巻取り軸に巻装される所謂電動式の巻取り構造となっており、躯体開口部の両側のガイドレール２３にシャッターカーテン２０の左右両側部が移動自在に嵌合し、巻取り軸の正逆何れかの回動に伴いシャッターカーテン２０が開口部の開閉を行う構成となっていること等は、前記第一の実施の形態と同様の構成となっている。
【００２０】
本実施の形態のスラット２１は、左右方向に長尺板状のスラット本体２４と、該スラット本体２４の左右両側部に組込まれる左右一対の連結部材２５とを備えて構成され、スラット本体２４と連結部材２５とは螺子２４ａにより螺合することで一体的に連結されている。さらに、スラット本体２４の下端部には、上下一対のリブ片２４ｂ、２４ｃがそれぞれ形成され、これらのあいだにモヘア等の封止部材２４ｄが組込まれている。また、下半部は上半部に対し僅かに屋外側（前方）に位置ずれするよう傾斜状になっており、これによって、スラット３が後述する閉塞姿勢となったときに、上側に位置するスラット本体２４の下端部が下側に位置するスラット本体２４上端部の前方に位置した状態でオーバーラップするように設定されている。
【００２１】
そして、前記連結部材２５は樹脂材で一体型成形され、スラット２１の側端面に嵌着される端片部２５ａと、該端片部２５ａの上端部から開口部間口方向（左右方向）外方に突出形成される支持片部２５ｂとを備えている。さらに、支持片部２５ｂの外端部にはスラット本体２４の上部板面よりも前方に突出する状態の突片部２５ｃが形成されており、該突片部２５ｃの外端部が、前記第一リンク２２と共にリンク作動するように機能するための第二リンク片部２５ｄに形成されていること等は前記第一の実施の形態と同様であるが、突片部２５ｃの前方への突出量は前記第一の実施の形態よりも小さく設定され、これによって、各スラット２１が採光姿勢となったときのスラット２１の傾斜（上方揺動角度）が小さくなるように設定されている。さらに、第二リンク片部２５ｄの外端面には、突出部２５ｇを介して前後方向に位置ズレするようにして凹状の上側用、下側用枢結部２５ｅ、２５ｆが形成されている。
尚、２５ｈは、スラット本体２４との連結用の螺子孔であり、２５ｉは端片部２５ａの左右方向外方の屋内側部位を切欠くことで形成された段差部である。
【００２２】
一方、前記第一リンク２２は上下に連結用の連結孔２２ａ、２２ｂが形成されているが、第一リンク２２の下端部には前方に向けて突出する状態で折曲部２２ｃが延設されている。このため、下側の連結孔２２ｂは、下端部ほど前方に傾斜する孔方向をした長孔状に形成され、その上方の孔端部には、孔方向が直上方向に向くよう偏寄したガイド部２２ｄが形成されている。さらに、第一リンク２２の折曲部２２ｃ上方の前端面には左右方向外方に突出する係合片部２２ｅが一体的に突出形成され、該係合片部２２ｅが本発明のロック手段を構成している。
そして、上下の第一リンク２２の連結孔２２ａ、２２ｂを、連結部材上側用、下側用枢結部２５ｅ、２５ｆにそれぞれ位置せしめ、これら第一リンク２２の外側から支持プレート２６をあてがった状態で、螺子２７、２８を、支持プレート２６に形成された貫通孔２６ｂ、２６ｃを介して連結部材２５の螺子孔２５ｐに螺合させることで、第一リンク２２と第二リンク片部２５ｄとの揺動自在な連結がなされるように設定されている。尚、各支持プレート２６の上端面には、本発明のロック手段を構成する係合凹部２６ａが切欠き状に形成されているが、基準となるスラット２１に取付けられた支持プレート２６の係合凹部２６ａは、後述するように、基準となるスラット２１が閉塞姿勢となり、これに隣接する上側のスラット２１が閉塞姿勢となることにより、該基準となるスラット２１を上側に連結する第一リンク２２の係合片部２２ｅに係合するように設定されている。
【００２３】
そして、シャッターカーテン２０は、ガイドレール２３に移動案内される自然垂下状態では、図１５に示すように、第一リンク２２と第二リンク片部２５ｄとが互いに伸長しており、第一リンク下側連結孔２２ｂは、下端部のガイド部２２ｄの下側孔端部２２ｆが螺子２７に係合支持される状態となっている。この状態では、各連結部材２５の第二リンク片部２５ｄは、上下側用枢結部２５ｅ、２５ｆが強制的に上下方向を向く姿勢となっており、各スラット２１はスラット本体２４の下端部が前方に突出する採光姿勢となっている。この採光姿勢において、第一リンク係合片部２２ｅと支持プレート２６の係合凹部２６ａとは上下方向に離間していて互いに緩衝することはない。
さらに、前記採光姿勢において、第二リンク片部２５ｄの下側枢結部２５ｆの後方（屋内側）穴縁２５ｊは、第一リンク２２の上部後側縁部に近接対向しており、これによって第二リンク片部２５ｄの前方への揺動は許容されるが後方への揺動は規制されるように設定されている。また、第二リンク片部２５ｄの上側枢結部２５ｅの穴縁２５ｋは屋外側ほど低位になるよう傾斜しており、該穴縁２５ｋが第一リンク２２の下端部を前方に移動案内するように設定されている。
【００２４】
そして、シャッターカーテン２０は全スラット２１が採光姿勢となる自然垂下状態で閉鎖作動を行い、シャッターカーテン２０下端部が接地して、下方からの押し上げ支持を受けた場合では、座板１７と最下端スラット２１とを連結する第一リンク２２と、最下端スラット２１の第二リンク片部２５ｄとは縮小する方向に作動しようとするが、このとき、第一リンク２２はガイドレール２３による揺動規制を受けると共に、第二リンク片部２５ｄは前述したように後方への揺動規制を受けており、さらには、採光姿勢のスラット２１には、下端部が下方揺動する方向の揺動モーメントが作用しているため、前記最下端スラット２１の第二リンク片部２５ｄは前方に揺動して該最下端のスラット２１が閉塞姿勢となるように設定されている（図１６参照）。尚、この閉塞姿勢になると、第二リンク片部２５ｄの下側枢結部２５ｆの前方穴縁２５ｍは第二リンク２２の上端縁部に近接対向しており、これによって、前方穴縁２５ｍが第二リンク片部２５ｄのこれ以上の前方揺動を規制するストッパとして機能する設定となっている。
この状態から、さらに閉鎖作動が行われると、第二リンク片部２５ｄの下方揺動は規制されている結果、最下端スラット２１の上側に連結する第一リンク２２の長孔状の下側連結孔２２ｂが、螺子２７に沿う状態で前方揺動をしながら下方変位を行う。そして、下側連結孔２２ｂの上端側のガイド部２２ｄに案内される状態で螺子２７が上側孔端部に係合すると、第一リンク２２はこれ以上の下方移動が規制されるように設定され、この状態となると、図１７に示すように、支持プレート係合凹部２６ａに第一リンク係合片部２２ｅが係合し、これによって、第一リンク２２と第二リンク片部２５ｄとの採光姿勢側へのリンク作動が規制されてスラット２１を閉塞姿勢にロックするように設定されており、これが本発明のロック手段に相当する。
このとき、前記第二リンク片部上側枢結部２５ｅの傾斜状の穴縁２５ｋは第一リンク２２の折曲部２２ｃの下縁部に沿うように近接対向するように設定されている。さらに、第二リンク片部２５ｄの外端面には上方前部に位置して突起２５ｎが形成されており、該突起２５ｎが穴縁２５ｋに沿って伸長される第一リンク２２の折曲部２２ｃの上端縁に干渉して、第二リンク２２は前後方向の揺動が規制されるように設定されている。この結果、第一リンク２２が上側から引っ張られたとき（上動作動を受けたとき）、第一リンク２２は揺動をすることはなく、下側連結孔２２ｂを介するスライド状の上動が優先してなされるように設定されている。
【００２５】
続いて、さらなる閉鎖作動があると、最下端スラット２１の上側に隣接するスラット２１の第二リンク片部２５ｄが、前記最下端スラット２１の第二リンク片部と同様にして前方に揺動して閉塞姿勢となり、続いて前述したように、該スラット２１の上側に連結する第一リンク２２の下側連結孔２２ｂが螺子２７に沿って移動することで第一リンク２２はさらなる前方揺動をしながら下方変位し、これによって、第一リンク係合部２２ｅがスラット２１の支持プレート係合凹部２６ａに係合してスラット２１が閉塞姿勢にロックされ、このようにして、順次、スラット２１の閉塞作動、スラット２１と第一リンク２２のロック作動とが繰り返し行われ、このようにして、最上端スラット２１が閉塞姿勢となることで、シャッターカーテン２０が全閉するように設定されている。
【００２６】
これに対し、シャッターカーテン２０の開放作動では、シャッターカーテン２０の巻取りに伴い（巻取り軸６の開放作動に伴い）、前述したように、まず、第一リンク２２の下側連結孔２２ｂが螺子２７に対してスライド移動するが、該スライド移動がなされることに伴い、第一リンク係合部２２ｅと支持プレート係合凹部２６ａの係合は解除されて、第一リンク下側連結孔２２ｂの下側孔端部が螺子２７に係合する姿勢となる。そして、この状態となると、第一リンク２２と第二リンク片部２５ｄとがリンク作動をしてスラット２１が自然垂下状態となるように揺動することになるが、このとき、前記ロックは解除されているためリンク作動が損なわれることはない。このように、巻取り軸６の開放作動に伴いロック解除作動、リンク作動を繰返し行うことで、各スラット２１は上側から順次採光姿勢となり、第一リンク２２と第二リンク片部２５ｄとの枢支部である螺子２７、２８が略直線上に位置するように変姿するように設定されている。そして、全スラット２１が採光姿勢となった状態からシャッターカーテン２０の上動が開始し、各スラット２１は採光姿勢を維持した状態で上動して開口部の開放がなされるように設定されている。
【００２７】
さらにこのものでは、ガイドレール２３と連結部材２５とのあいだに次のような配慮がなされている。
つまり、ガイドレール２３は前記第一の実施の形態と略同様に、下地枠２３ａ、屋内外のガイド片２３ｂ、２３ｃ、ガイド溝２３ｄ、ガイド片２３ｂ、２３ｃ先端に形成され封止部材２３ｅが嵌合する封止部２３ｆ等により構成されている。そして、前側ガイド片２３ｂの封止部２３ｆは、前記閉塞姿勢のスラット２１の第二リンク片部２５ｄに当接することで、開口部を閉鎖したシャッターカーテン２０の抜止機能を兼用する設定となっている。さらに、第二の実施の形態における連結部材２５の端片部２５ａには、左右方向外方の屋内側部位を切欠くことで形成された段差部２５ｉが上下に長く形成されている。そして、該段差部２５ｉがガイドレール２３屋内側のガイド片２５ｂに形成の封止部２３ｆに近接対向していると共に、端片部２５ａの下端部が屋外側の封止部２３ｆに近接対向しており、これら各対向間は、第二連結片部２５ｄ外端面とガイドレール溝底片２３ｄとの対向間より小さくなるよう寸法設定されている。これによって、スラット２１が採光姿勢、採光姿勢の何れのときも、シャッターカーテン２の位置ズレの移動規制がなされて、第二リンク片部２５ｄ外端面とガイドレール溝底片２３ｄとが当接することがないように設定されている。
【００２８】
そうして、この場合でも、前記第一の実施の形態と同様に、シャッターカーテン２０の閉鎖作動時では採光姿勢を維持しながらの閉鎖作動を行い、最下端部の座板１７が接地し、さらに巻取り軸６が巻出し作動をすることにより、下側のスラット２１から順次閉塞姿勢に変姿して開口部の閉鎖を行うことができる一方、シャッターカーテン２０の開放作動時では、シャッターカーテン２０の巻取りに伴い、全閉状態の最上端に位置するスラット２１から下方のものが順次採光姿勢となってから上動して全開状態とすることができる。この結果、シャッターカーテン２０を、前記第一の実施の形態のように、多様な日除状態にすることができて、室内の明るさ、通風状態を調整でき、居住性の向上が計れる。
【００２９】
しかもこのものでは、スラット２１が閉塞姿勢となることに伴い、第一リンク２２が長孔状の下側連結孔２２ｂを介してさらに揺動しながら下方変位をすることにより、第一リンク係合部２２ｅが下側に位置するスラット２１の支持プレート係合凹部２６ａに係合し、第一リンク２２と第二リンク片部２５ｄとの採光姿勢側へのリンク作動がロックされている。これによって、全閉状態のシャッターカーテン２０に対し、外部からスラット２１を把持して無理矢理持ち上げようとしても採光姿勢になることはなく、防犯性が向上するうえ、全閉状態のシャッターカーテンに強風が吹き当てたような場合に各スラット２１がばたついてしまうようなこともなく、機能性を向上できる。しかも、ロック作動は、シャッターカーテン２０の開閉作動に伴う各スラット２１の姿勢変姿にあわせて、順次ロックまたはロック解除作動を行うことができるので、シャッターカーテン２０の開閉作動を何ら損なうことなく円滑に行うことができる。
【図面の簡単な説明】
【図１】ブラインド式のシャッター装置の概略を示す全体正面図である。
【図２】シャッターカーテンの収納状態を説明する側面図である。
【図３】スラットの採光姿勢におけるシャッターカーテンの側面図である。
【図４】スラットの閉塞姿勢におけるシャッターカーテンの側面図である。
【図５】図５（Ａ）、（Ｂ）はそれぞれ閉塞姿勢のスラットのガイドレール案内状態を説明する一部断面平面図、正面図である。
【図６】採光姿勢のスラットのガイドレール案内状態を説明する一部断面平面図である。
【図７】スラットの組込み状態を説明する斜視図である。
【図８】採光姿勢のスラットの連結状態を説明する側面図である。
【図９】閉塞姿勢のスラットの連結状態を説明する側面図である。
【図１０】図１０（Ａ）、（Ｂ）はそれぞれスラットの平面図、正面図である。
【図１１】図１１（Ａ）、（Ｂ）、（Ｃ）、（Ｄ）はそれぞれ連結部材の平面図、正面図、側面図、図１１（Ｃ）のＡ−Ａ断面図である。
【図１２】図１２（Ａ）、（Ｂ）はそれぞれスラット本体の正面図、側面図である。
【図１３】第二の実施の形態におけるスラットの採光姿勢を示すシャッターカーテンの側面図である。
【図１４】図１４（Ａ）、（Ｂ）はそれぞれ第二の実施の形態における閉塞姿勢のスラットのガイドレール案内状態を説明する一部断面平面図、正面図である。
【図１５】第二の実施の形態における開閉状態を説明する側面図である。
【図１６】第二の実施の形態における開閉状態を説明する側面図である。
【図１７】第二の実施の形態における開閉状態を説明する側面図である。
【図１８】第二の実施の形態における開閉状態を説明する側面図である。
【図１９】図１９（Ａ）、（Ｂ）、（Ｃ）はそれぞれ第二の実施の形態の連結部材の平面図、正面図、側面図である。
【図２０】図２０（Ａ）、（Ｂ）、（Ｃ）はそれぞれ第二の実施の形態の第一リンクの平面図、正面図、側面図、図２０（Ｄ）、（Ｅ）、（Ｆ）はそれぞれ第二の実施の形態の支持プレートの平面図、正面図、側面図である。
【符号の説明】
１    ブラインド式シャッター装置
２    シャッターカーテン
３    スラット
４    第一リンク
６    巻取り軸
８    ガイドレール
９    スラット本体
１０    連結部材
１０ａ    端片部
１０ｂ    支持片部
１０ｄ    第二リンク片部
１０ｅ    上側用枢結部
１１    第一ジョイント部
１４    支持プレート
１７    座板
【図１】
0003726183.tif 000002
【図２】
0003726183.tif 000003
【図３】
0003726183.tif 000004
【図４】
0003726183.tif 000005
【図５】
0003726183.tif 000006
【図６】
0003726183.tif 000007
【図７】
0003726183.tif 000008
【図８】
0003726183.tif 000009
【図９】
0003726183.tif 000010
【図１０】
0003726183.tif 000011
【図１１】
0003726183.tif 000012
【図１２】
0003726183.tif 000013
【図１３】
0003726183.tif 000014
【図１４】
0003726183.tif 000015
【図１５】
0003726183.tif 000016
【図１６】
0003726183.tif 000017
【図１７】
0003726183.tif 000018
【図１８】
0003726183.tif 000019
【図１９】
0003726183.tif 000020
【図２０】
0003726183.tif 000021